(57)【要約】【課題】１枚のＭＰ３−ＣＤに記録されている全てのオーディオ信号を１枚のＭＤに記録（ダビング）できないことがある。【解決手段】第１のディスクから再生されたＭＰ３ファイルに伸長処理を施したオーディオ信号を出力する再生信号処理部と、前記ＭＰ３ファイルの楽曲情報を取得する再生制御部と、再生信号処理部から出力されたオーディオ信号に複数の記録モードのＡＴＲＡＣによる圧縮処理を施したＡＴＲＡＣデータを出力する記録信号処理部と、前記ＡＴＲＡＣデータを第２のディスクに記録するディスク記録部と、楽曲情報と前記第２のディスクから取得した記録残時間情報に基づいて再生信号処理部の記録モードを決定し、当該記録モードに基づいてオーディオ信号に対してＡＴＲＡＣによる圧縮処理を施し、ＡＴＲＡＣデータを第２ディスクに記録させる制御を行う記録制御部とを備える。【選択図】      図１
2007102889.tif 000002
【特許請求の範囲】
【請求項１】
第１の圧縮処理により圧縮された第１の圧縮データが記録された第１のディスクを再生するディスク再生部と、当該ディスク再生部で再生された前記第１の圧縮データに伸長処理を施し伸長したオーディオ信号を出力する再生信号処理部と、前記第１の圧縮データのオーディオ信号のトラック情報と各トラックの圧縮率情報と各トラックの記録時間情報を備える楽曲情報を取得する再生制御部と、前記再生信号処理部から出力されたオーディオ信号に複数の記録モードの第２の圧縮処理を施し前記第２の圧縮処理により圧縮された第２の圧縮データを出力する記録信号処理部と、前記記録信号処理部から出力された第２の圧縮データを第２のディスクに記録するディスク記録部と、前記再生制御部から楽曲情報を取得すると共に前記記録信号処理部から前記第２のディスクの記録残時間の情報を取得し、前記楽曲情報と前記記録残時間情報とに基づいて前記記録信号処理部の記録モードを決定し、前記記録信号処理部に決定した記録モードに基づいて前記オーディオ信号に対し第２の圧縮処理を施させ、前記ディスク記録部に第２の圧縮データを第２のディスクに記録させる制御を行う記録制御部とを備えることを特徴とするオーディオ信号記録装置。
【請求項２】
ＭＰ３ファイルが記録された第１のディスクを再生するディスク再生部と、当該ディスク再生部で再生されたＭＰ３ファイルに伸長処理を施し伸長したオーディオ信号を出力する再生信号処理部と、前記第１のディスクに記録されているＭＰ３ファイルのオーディオ信号のトラック情報と各トラックの圧縮率情報と各トラックの記録時間情報を備える楽曲情報を取得する再生制御部と、前記再生信号処理部から出力されたオーディオ信号に複数の記録モードのＡＴＲＡＣ及びＡＴＲＡＣ３による圧縮処理を施し圧縮したＡＴＲＡＣデータを出力する記録信号処理部と、前記記録信号処理部から出力されたＡＴＲＡＣデータを第２のディスクに記録するディスク記録部と、前記再生制御部から楽曲情報を取得すると共に前記記録信号処理部から前記第２のディスクの記録残時間の情報を取得し、前記楽曲情報と前記記録残時間情報とに基づいて前記記録信号処理部の記録モードを決定し、前記記録信号処理部に決定した記録モードに基づいて前記オーディオ信号に対しＡＴＲＡＣ又はＡＴＲＡＣ３による圧縮処理を施し、前記ディスク記録部にＡＴＲＡＣデータを第２のディスクに記録させる制御を行う記録制御部とを備えることを特徴とするオーディオ信号記録装置。
【請求項３】
請求項２記載のオーディオ信号記録装置において、前記記録信号処理部は、ＳＰモード、ＬＰ２モード又はＬＰ４モードのうち少なくとも２以上の記録モードを有することを特徴とするオーディオ信号記録装置。
【発明の詳細な説明】
【技術分野】
【０００１】
本発明は、ＭＰ３（Moving Picture Experts Group Layer 3）やＷＭＡ（Windows（登録商標） Media Audio）等の音声圧縮技術を用いた圧縮データを記録したコンパクトディスク（ＣＤ：Compact Disc）のオーディオ信号をミニディスク（ＭＤ：Mini Disc）に記録するオーディオ信号記録装置に関する。
【背景技術】
【０００２】
従来、レコード盤や磁気テープによるアナログオーディオ信号の記録再生に対し、ＣＤやＭＤ等では、デジタルオーディオ信号での記録、光学的な信号読取による非接触方式での再生により、音質の劣化がなくオーディオ信号の記録再生が可能となった。更に、音声圧縮技術を用いることにより、１枚のＣＤ又はＭＤに長時間のオーディオ信号の記録が可能となった。このことにより、最近では、一般家庭用のオーディオシステムにＣＤやＭＤによるデジタル記録再生が普及している。
【０００３】
ＭＤは、ＣＤより小型であるため、携帯性に優れると共に保管スペースの節約が可能であり、携帯型のオーディオ機器としてＭＤ装置が普及している。このため、ＣＤに記録されたオーディオ信号をＭＤに記録し、携帯型ＭＤ装置により、オーディオ信号を再生することが一般的に行われている。
【０００４】
ＭＤ装置においては、ＡＴＲＡＣ（Adaptive TRansform Acoustic Coding）という音声圧縮技術が採用されている。ＡＴＲＡＣは、ＳＰモードと呼ばれ、非圧縮のオーディオ信号の情報量を約１／５に圧縮する。更に、ＡＴＲＡＣに対して更に圧縮率を高めた方法として、ＡＴＲＡＣ３がある。ＡＴＲＡＣ３では、非圧縮のオーディオ信号の情報量を約１／１０に圧縮し、記録時間を通常の２倍にするＬＰ（Long Play）２モード、非圧縮のオーディオ信号の情報量を約１／２０に圧縮し、記録時間を通常の４倍にするＬＰ４モードがある。市販の記録時間が８０分のＭＤにおいて、ＳＰモードの場合、約８０分のオーディオ信号の記録が可能であり、ＬＰ２モードでは約１６０分、ＬＰ４モードでは約３２０分のオーディオ信号の記録が可能である。
【０００５】
ＭＤ装置において、ＣＤからＭＤへの記録（ダビング）を行う録音モードであるＳＲＳ（Sync Rec System）機能では、ＭＤのＣＯＤＥＣ（符号器・復号器）モードのＳＰ（ＡＴＲＡＣ）モード、ＬＰ２（ＡＴＲＡＣ３）モード、ＬＰ４（ＡＴＲＡＣ３）モードの３種類の中から選択する必要があった。
【０００６】
ＣＤに記録されたオーディオ信号が非圧縮のオーディオ信号である場合、ＳＲＳ機能を用いてＣＤに記録された全てのオーディオ信号をＡＴＲＡＣ（ＳＰモード）により圧縮し、ＭＤに記録（ダビング）することが可能である。しかし、ＣＤに記録されたオーディオ信号が、例えばＭＰ３などの音声圧縮技術を用いて圧縮されたオーディオ信号が記録された、例えば、ＭＰ３−ＣＤである場合、当該ＭＰ３−ＣＤに記録されたＭＰ３ファイルを伸長したオーディオ信号の再生時間が８０分を超えることがある。当該ＭＰ３−ＣＤに記録された全てのオーディオ信号をＭＤに記録（ダビング）しようとしても、オーディオ信号の再生時間がＡＴＲＡＣのＳＰモードでのＭＤの最大記録時間８０分を越えるため、ＳＰモードでの記録ができない。この場合、ＬＰ２モード或いはＬＰ４モードを選択することにより、ＣＤからＭＤへの記録（ダビング）が可能となる。
【０００７】
特許文献１に、ＣＤの複数のトラックに記録された楽曲を圧縮してＭＤに記録する場合、高音質の録音モード（圧縮率が低い録音モード）で録音するトラック番号を予めプログラムし、予めプログラムされたトラック番号のオーディオ信号は高音質の録音モードで録音し、予めプログラムされたトラック番号以外のトラックのオーディオ信号は高音質の録音モード以外の録音モードで記録する技術が開示されている。
【０００８】
【特許文献１】特開２００３−７７２１６
【発明の開示】
【発明が解決しようとする課題】
【０００９】
特許文献１に開示されている技術では、予めプログラムされたトラック番号か否かに基づいて記録モードを切り換えることにより、ユーザがトラック毎に録音モードを切り換える不便さを軽減している。しかし、コピー元のＣＤがＭＰ３−ＣＤの場合には、ＭＰ３では圧縮率を１／５〜１／４０までの範囲に設定できるため、ＭＰ３の圧縮技術で圧縮されたコピー元のオーディオ信号を伸長したときの再生時間が８０分を超えることがある。この場合、コピー元のオーディオ信号の再生時間がコピー先のＭＤの記録可能時間より長いため、当該１枚のＭＰ３−ＣＤの全てのオーディオ信号を１枚のＭＤに記録（ダビング）できないことがある。
【００１０】
また、ＭＰ３−ＣＤに、例えば、再生時間が２０分程度のオーディオ信号が高い圧縮率（例えば、１／４０）で圧縮され記録されている場合、当該ＭＰ３−ＣＤに記録されているＭＰ３ファイルを伸長してＡＴＲＡＣのＬＰ４モード（圧縮率１／２０）で再圧縮し、ＭＤに記録した場合、ＭＰ３−ＣＤの全てのオーディオ信号をＭＤに記録することができる可能性はあるが、音質が低下した圧縮率の高いオーディオ信号を、再度、高い圧縮率で圧縮するため、音質がさらに低下することがある。
【００１１】
また、ユーザが、ＭＰ３とＡＴＲＡＣの音声圧縮技術の圧縮率の違いを理解してＭＤに記録するオーディオ信号をプログラムするためには、ＭＰ３−ＣＤに記録されている全てのオーディオ信号の圧縮率を確認する必要があり、手間がかかる。
【００１２】
本発明は、ＭＰ３−ＣＤなどの第１のディスクに記録された第１の圧縮処理により圧縮されたオーディオ信号を、ＭＤなどの第２の圧縮処理を用いてデータを圧縮し記録する第２のディスクに記録する際に、オーディオ信号の音質劣化を最小限にとどめ、ユーザが手間を掛けずに第１のディスクに記録されたオーディオ信号を第２のディスクに記録することができるオーディオ信号記録装置を提供することを目的とする。
【課題を解決するための手段】
【００１３】
本発明は、第１の圧縮処理により圧縮された第１の圧縮データが記録された第１のディスクを再生するディスク再生部と、当該ディスク再生部で再生された前記第１の圧縮データに伸長処理を施し伸長したオーディオ信号を出力する再生信号処理部と、前記第１の圧縮データのオーディオ信号のトラック情報と各トラックの圧縮率情報と各トラックの記録時間情報を備える楽曲情報を取得する再生制御部と、前記再生信号処理部から出力されたオーディオ信号に複数の記録モードの第２の圧縮処理を施し前記第２の圧縮処理により圧縮された第２の圧縮データを出力する記録信号処理部と、前記記録信号処理部から出力された第２の圧縮データを第２のディスクに記録するディスク記録部と、前記再生制御部から楽曲情報を取得すると共に前記記録信号処理部から前記第２のディスクの記録残時間の情報を取得し、前記楽曲情報と前記記録残時間情報とに基づいて前記記録信号処理部の記録モードを決定し、前記記録信号処理部に決定した記録モードに基づいて前記オーディオ信号に対し第２の圧縮処理を施させ、前記ディスク記録部に第２の圧縮データを第２のディスクに記録させる制御を行う記録制御部とを備えることを特徴とする。
【００１４】
本発明は、ＭＰ３ファイルが記録された第１のディスクを再生するディスク再生部と、当該ディスク再生部で再生されたＭＰ３ファイルに伸長処理を施し伸長したオーディオ信号を出力する再生信号処理部と、前記第１のディスクに記録されているＭＰ３ファイルのオーディオ信号のトラック情報と各トラックの圧縮率情報と各トラックの記録時間情報を備える楽曲情報を取得する再生制御部と、前記再生信号処理部から出力されたオーディオ信号に複数の記録モードのＡＴＲＡＣ及びＡＴＲＡＣ３による圧縮処理を施し圧縮したＡＴＲＡＣデータを出力する記録信号処理部と、前記記録信号処理部から出力されたＡＴＲＡＣデータを第２のディスクに記録するディスク記録部と、前記再生制御部から楽曲情報を取得すると共に前記記録信号処理部から前記第２のディスクの記録残時間の情報を取得し、前記楽曲情報と前記記録残時間情報とに基づいて前記記録信号処理部の記録モードを決定し、前記記録信号処理部に決定した記録モードに基づいて前記オーディオ信号に対しＡＴＲＡＣ又はＡＴＲＡＣ３による圧縮処理を施し、前記ディスク記録部にＡＴＲＡＣデータを第２のディスクに記録させる制御を行う記録制御部とを備えることを特徴とする。
【００１５】
前述したオーディオ信号記録装置において、前記記録信号処理部は、ＳＰモード、ＬＰ２モード又はＬＰ４モードのうち少なくとも２以上の記録モードを有することを特徴とする。
【発明の効果】
【００１６】
本発明によれば、ＭＰ３−ＣＤなどの第１のディスクに記録された第１の圧縮処理により圧縮されたオーディオ信号を、ＭＤなどの第２の圧縮処理を用いてデータを圧縮し記録する第２のディスクに記録する際に、オーディオ信号の音質劣化を最小限にとどめ、ユーザが手間を掛けずに第１のディスクに記録されたオーディオ信号を第２のディスクに記録することができる。
【発明を実施するための最良の形態】
【００１７】
図１は、本発明のオーディオ信号記録装置の一実施例の概略構成を示すブロック図である。
本実施形態において、オーディオ信号記録装置は、ＣＤ再生部１０とＭＤ記録部２０とからなる装置として説明するが、ＣＤ再生部１０がＣＤプレーヤであり、ＭＤ記録部２０がＭＤレコーダであり、ＣＤプレーヤとＭＤレコーダが伝送ケーブルにより接続され、当該伝送ケーブルにより制御信号の伝送、オーディオ信号の伝送が可能なシステムであってもよい。また、本実施形態においては、後述するＣＤ再生部１０において再生するＣＤとして、ＭＰ３フォーマットのオーディオ信号（以下、「ＭＰ３ファイル」という。）が記録されたＭＰ３−ＣＤを例に挙げ説明する。なお、本実施形態においては、後述するＣＤ再生部１０が再生するＣＤとしてＭＰ３−ＣＤを例に挙げ説明するがそれに限定されず、例えばＷＭＡファイルなど、他の圧縮方式により圧縮されたデータ（ファイル）が記録されたＣＤであってもよい。
【００１８】
ＣＤ再生部１０は、ディスク（ＭＰ３−ＣＤ）から記録データを読み取り再生するディスク再生部１１、ディスク再生部１１が読み出した記録データ（ＭＰ３ファイル）を伸長するＭＰ３デコーダを内蔵し、ＭＰ３デコーダで伸長したオーディオ信号を出力するＣＤ再生信号処理部１２、後述するＭＤ記録部２０とのデータの送受信を行うＣＤ再生部送受信部１３、ＣＤ再生部１０全体を制御すると共に、後述するＭＤ記録部２０からの要求に基づいてディスク再生部１０のディスクに記録されているオーディオ信号のトラック数、各トラック毎の圧縮率、記録時間に関する情報に取得し、それらの情報を楽曲情報として出力する制御を行うＣＤ再生制御部１４を備える。
【００１９】
ＭＤ記録部２０は、ＣＤ再生部１０とのデータの送受信を行うＭＤ記録部送受信部２１、オーディオ信号にＳＰモード、ＬＰ２モード又はＬＰ４モードで音声圧縮が可能なＡＴＲＡＣエンコーダを内蔵し、後述するＭＤ記録制御部２６の制御に基づいてＭＤ記録部送受信部２１から入力したオーディオ信号にＡＴＲＡＣ又はＡＴＲＡＣ３による音声圧縮を施し、圧縮したＡＴＲＡＣデータを出力するＭＤ記録信号処理部２２、ＭＤ記録信号処理部２２から出力されたＡＴＲＡＣデータをＭＤに記録するディスク記録部２３、ユーザが記録開始、記録停止等の指示を入力する操作部２４、ＭＤ記録部２０全体を制御すると共に、ＣＤ再生部１０から取得した楽曲情報とＭＤ記録信号処理部がディスク記録部に装填されたＭＤの記録残時間とを取得し、それらの情報からＳＰモード、ＬＰ２モード及びＬＰ４モードからなる複数の記録モードから適切な記録モードを決定し、決定した記録モードでＣＤ再生部１０から入力するオーディオ信号に対しＡＴＲＡＣ又はＡＴＲＡＣ３による音声圧縮を施すよう制御する圧縮ＭＤ記録制御部２５を備える。
【００２０】
ＣＤ再生部１０とＭＤ記録部２０において、ＣＤ再生部送受信部１３とＭＤ記録部送受信部２１は、伝送ケーブルにより接続されている。ＣＤ再生部１０のＣＤ再生制御部１４とＭＤ記録部２０のＭＤ記録制御部２６は、ＣＤ再生部送受信部１３及びＭＤ記録部送受信部２１を介して伝送ケーブルにより接続され、制御信号の送受信を行う。ＣＤ再生部１０のＣＤ再生信号処理部１２とＭＤ記録部２０のＭＤ記録信号処理部２２は、ＣＤ再生部送受信部１３及びＭＤ記録部送受信部２１を介して伝送ケーブルにより接続され、オーディオ信号の送受信を行う。
【００２１】
本実施形態のオーディオ信号記録装置において、ＭＰ３−ＣＤからＭＤにオーディオ信号を記録（ダビング）する際に、ＣＤ再生部１０のＣＤ再生制御部１４は、ＣＤ再生信号処理部１２からＭＰ３−ＣＤに記録されているオーディオ信号の各トラック毎の圧縮率と記録時間を取得し、当該オーディオ信号のトラック情報（トラック数など）、圧縮率、記録時間に関する情報を楽曲情報としてＣＤ再生部送受信部１３を介してＭＤ記録部２０のＭＤ記録制御部２５に送信する。
【００２２】
ＭＤ記録部２０は、ＣＤ再生部１０のＣＤ再生制御部１４が送信した楽曲情報をＭＤ記録部送受信部２１で受信し、ＭＤ記録制御部２５は、当該楽曲情報を取得する。ＭＤ記録制御部２５は、ＭＤ記録信号処理部２２からＭＤディスク記録部２３に装填されたＭＤの記録残時間の情報を取得し、当該記録残時間とＣＤ再生部１０から取得した楽曲情報に基づいて記録モードを決定する。記録モードを決定した後、ＭＤ記録部２０は、ＣＤ再生部１０からオーディオ信号を受信し、ＭＤへの記録（ダビング）を開始する。
【００２３】
ここで、記録モードの決定方法について説明する。
記録モードは、ＭＤの記録残時間と音質との兼ね合いから、ＭＰ３ファイルの圧縮率に応じてＡＴＲＡＣ又はＡＴＲＡＣ３からなる記録モードの割り振り（マッピング）を行う。マッピング方法としては、数パターンあるが、本実施形態においては、６パターンを例に挙げて説明する。
【００２４】
図２は、本実施形態のオーディオ信号記録装置における記録モードのマッピングのパターンを説明する図である。
図２に示すように、記録モードのマッピングのパターンは、６パターンである。パターン１は、ＳＰモードであり、パターン２は、ＬＰ２モードであり、パターン３は、ＬＰ４モードである。
【００２５】
パターン４は、ＭＰ３ファイルのビットレートが３２ｋｂｐｓ〜９６ｋｂｐｓの範囲がＬＰ２モードで、９７ｋｂｐｓ〜３２０ｋｂｐｓの範囲がＳＰモードである。ここで、一般にＭＰ３による音声圧縮技術では、ビットレートを３２ｋｂｐｓ〜３２０ｋｂｐｓで設定可能である。
【００２６】
パターン５は、ＭＰ３ファイルのビットレートが３２ｋｂｐｓ〜６４ｋｂｐｓの範囲がＬＰ４モードで、６５ｋｂｐｓ〜１２８ｋｂｐｓの範囲がＬＰ２モードで、１２９ｋｂｐｓ〜３２０ｋｂｐｓの範囲がＳＰモードである。
【００２７】
パターン６は、ＭＰ３ファイルのビットレートが３２ｋｂｐｓ〜９６ｋｂｐｓの範囲がＬＰ４モードで、９６ｋｂｐｓ〜３２０ｋｂｐｓの範囲がＬＰ２モードである。
【００２８】
本実施形態においては、マッピングのパターンを図２に示すように設定するが、それに限定されず、ＭＰ３ファイルのビットレートに応じて、ＳＰモード、ＬＰ２モード、ＬＰ４モードの切り替えポイントを適宜設定可能である。また、マッピングのパターンも前述した６パターン未満であってもよく、更に詳細にマッピングした７パターン以上のパターンであってもよい。
【００２９】
本実施形態のオーディオ信号記録装置におけるＭＰ３−ＣＤからＭＤへのオーディオ信号の記録（ダビング）の動作について説明する。
図３は、本実施形態のオーディオ信号記録装置における記録（ダビング）の動作を示すフローチャートである。
ＣＤ再生部１０のディスク再生部１１にＭＰ３−ＣＤが装填され、ＭＤ記録部２０のディスク記録部２３にＭＤが装填され、ユーザがＭＤ記録部２０の操作部２４により記録開始の操作を行うと、ＣＤ再生部１０のＭＰ３−ＣＤからＭＤ記録部２０のＭＤへのオーディオ信号の記録（ダビング）の処理が開始する（ステップＳ１）。
【００３０】
ＭＤ記録部２０のＭＤ記録制御部２５は、ＣＤ再生部１０のＣＤ再生制御部１４に楽曲情報の送信要求を出力すると、ＣＤ再生部１０のＣＤ再生制御部１４は、ＣＤ再生信号処理部１２を制御し、ディスク再生部１１に装填されたＭＰ３−ＣＤに記録されている各楽曲（トラック）の圧縮率と記録時間を取得し、取得した情報を楽曲情報としてＣＤ再生部送受信部１３を介して、ＭＤ記録部２０のＭＤ記録制御部２６に通知する。ＭＤ記録制御部２６は、ＣＤ再生部１０のＣＤ再生制御部１４から取得する（ステップＳ２）。
【００３１】
ＭＤ記録部２０のＭＤ記録制御部２６は、ＭＤ記録信号処理部２２を制御し、現在ディスク記録部２３に装填されているＭＤの記録残時間の情報を取得する（ステップＳ３）。
【００３２】
ＭＤ記録制御部２５は、ＣＤ再生部１０のＣＤ再生制御部１４から取得した楽曲情報と、ＭＤの記録残時間とに基づいて各トラック毎に記録モードを決定する処理を行う。
【００３３】
ＭＤ記録制御部２５は、最初に、ＭＰ３−ＣＤの全トラックがＳＰモード（マッピングパターン１）で、ディスク記録部２３に装填されているＭＤに記録できるか否かを判断し（ステップＳ４）、ＳＰモードでの記録が可能であれば、記録モードをマッピングパターン１に決定する（ステップＳ５）。
【００３４】
ステップ４において、マッピングパターン１での記録が不可能である場合、ＭＤ記録制御部２５は、ＭＰ３−ＣＤの全トラックがＬＰ２モード（マッピングパターン２）で記録できるか否かを判断する（ステップＳ６）。ステップＳ６において、ＬＰ２モードでの記録が可能であれば、更に、ＬＰ２モードを有するマッピングパターン４においても記録が可能か否か判断する（ステップＳ７）。ステップＳ７において、マッピングパターン４での記録が不可能な場合、記録モードをマッピングパターン２に決定する（ステップＳ８）。
【００３５】
ステップＳ７において、マッピングパターン４での記録が可能な場合、ＭＤ記録制御部２５は、記録モードをマッピングパターン４に決定する（ステップＳ９）。マッピングパターン４の記録モードの場合、マッピングパターン２に比べて、ＬＰ２モードより圧縮率が低いＳＰモードで一部のオーディオ信号を記録することができるため、一部のオーディオ信号の音質の劣化を低減させることができる。
【００３６】
ステップ６において、マッピングパターン２での記録が不可能である場合、ＭＤ記録制御部２５は、ＭＰ３−ＣＤの全トラックがＬＰ４モード（マッピングパターン３）で記録できるか否かを判断する（ステップＳ１０）。ステップＳ１０において、ＬＰ４モードでの記録が可能であれば、更に、ＬＰ４モードを有するマッピングパターン６での記録が可能か否か判断する（ステップＳ１１）。
【００３７】
ステップＳ１１において、マッピングパターン６での記録が可能な場合、ＭＤ記録制御部２５は、更に、マッピングパターン５での記録が可能か否か判断する（ステップＳ１２）。ステップＳ１１において、マッピングパターン６での記録が不可能な場合、ＭＤ記録制御部２５は、記録モードをマッピングパターン３に決定する（ステップＳ１３）。マッピングパターン６の記録モードの場合、マッピングパターン３に比べて、ＬＰ４モードより圧縮率が低いＬＰ２モードにより一部のオーディオ信号を記録することができるため、一部のオーディオ信号の音質の劣化を低減させることができる。
【００３８】
ステップＳ１２において、マッピングパターン５での記録が可能な場合、ＭＤ記録制御部２５は、記録モードをマッピングパターン５に決定する（ステップＳ１４）。マッピングパターン５の記録モードの場合、マッピングパターン３又はマッピングパターン６に比べて、ＬＰ４モードより圧縮率が低いＳＰモード及びＬＰ２モードにより一部のオーディオ信号を記録することができるため、一部のオーディオ信号の音質の劣化を低減させることができる。ステップＳ１２において、マッピングパターン５での記録が不可能な場合、ＭＤ記録制御部２５は、記録モードをマッピングパターン６に決定する（ステップＳ１５）。
【００３９】
ステップＳ１０において、マッピングパターン３での記録が不可能な場合、ＭＤ記録制御部２５は、１枚のＭＰ３−ＣＤに記録されたオーディオ信号を１枚のＭＤに記録することが不可能であると判断し、ユーザにダビングが不可能である旨を通知し、記録処理を終了する（ステップＳ１６）。
【００４０】
なお、当該ステップＳ１６の処理において、１枚のＭＰ３−ＣＤに記録されたオーディオ信号を１枚のＭＤに記録することが不可能であるが、図示しない処理により、ＭＰ３−ＣＤに記録されたオーディオ信号をトラック毎に選定し、複数のＭＤに記録することは可能である。このユーザにＭＰ３−ＣＤに記録されたオーディオ信号をトラック毎に選定し、複数のＭＤに記録する記録処理を行う際に、前述のステップＳ１６の処理を利用することも可能である。
【００４１】
記録モードが決定すると、ＭＤ記録制御部２５は、ＣＤ再生部１０のＣＤ再生制御部１４に再生開始を指示する。ＣＤ再生部１０のＣＤ再生制御部１４は、ＭＤ記録部２０のＭＤ記録制御部２５からの指示に基づいて、ディスク再生部１１にＭＰ３−ＣＤの再生を開始させる。ディスク再生部１１で再生されたＭＰ３ファイルは、ＣＤ再生信号処理部１２により伸長され、オーディオ信号としてＣＤ再生部送受信部１３を介してＭＤ記録部２０に送信される。
【００４２】
ＭＤ記録部２０のＭＤ記録制御部２５は、ＭＤ記録部送受信部２１がＣＤ再生部１０からオーディオ信号を受信すると、ＭＤ記録信号処理部２を制御し、各トラックごとに決定した記録モードでオーディオ信号を圧縮させる（ステップＳ１７）。そして、ＭＤ記録部２０のＭＤ記録制御部２５は、ディスク記録部２３を制御し、ＭＤ記録信号処理部２により圧縮されたＡＴＲＡＣデータをＭＤに記録する（ステップＳ１８）。ＣＤ再生部１０のＣＤの全てのオーディオ信号のＭＤへの記録が完了すると、ＭＤ記録部２０のＭＤ記録制御部２５は、記録（ダビング）処理を終了する。
【００４３】
以上のように、本実施形態のオーディオ信号記録装置においては、１枚のＭＰ３−ＣＤに記録されたＭＰ３ファイルのオーディオ信号を、効率よく、音質の劣化を抑え、１枚のＭＤに記録（ダビング）することができる。また、ユーザがＭＰ３とＡＴＲＡＣの音声圧縮技術の圧縮率の違いを理解する必要がなく、１枚のＭＰ３−ＣＤから１枚のＭＤにオーディオ信号を記録（ダビング）することができる。
【図面の簡単な説明】
【００４４】
【図１】本発明のオーディオ信号記録装置の一実施例の概略構成を示すブロック図。
【図２】本実施形態のオーディオ信号記録装置における記録モードのマッピングのパターンを説明する図。
【図３】本実施形態のオーディオ信号記録装置における記録（ダビング）の動作を示すフローチャート。
【符号の説明】
【００４５】
１０・・・ＣＤ再生部、１１・・・ディスク再生部、１２・・・ＣＤ再生信号処理部、１３・・・ＣＤ再生部送受信部、１４・・・ＣＤ再生制御部。
２０・・・ＭＤ記録部、２１・・・ＭＤ記録部送受信部、２２・・・ＭＤ記録信号処理部、２３・・・ディスク記録部、２４・・・操作部、２５・・・ＭＤ記録制御部
【図１】
2007102889.tif 000003
【図２】
2007102889.tif 000004
【図３】
2007102889.tif 000005